(57)【要約】【課題】補強土壁に設置する際に生じる段差からの転落防止用の安全柵２を提供する。【解決手段】  安全柵２は一対の鞍型基部２１と鞍型基部２１の側面に取付けられた支柱２２、支柱２２を連結するように取付けられた防護体２３によって構成されている。鞍型基部２１は上段パネル１の端部を挟むように取り付ける。支柱２２は鞍型基部２１の側面に取付けられ、防護体２３も支柱２２を連結するように取付けられ、パネル１の面外に位置する。【選択図】図５
2019105081.tif 000002
【特許請求の範囲】
【請求項１】
盛土層の外側に、高さ方向に段差を設けてパネルを積み上げる補強土壁において、上段パネルであって水平方向に隔てられて隣接する隔パネル間に形成される開口部に設置する、工事用安全柵であって、
隔パネルの上片に取付けられた鞍型基部と、鞍型基部側面に設置した支柱と、支柱に取付けられた防護体からなり、
防護体は隔パネルの外面側の面外に配置されることを特徴とする、安全柵。
【請求項２】
鞍型基部は、パネル外面側の外側板とパネル上片側に配置された上板とパネル内面側の内側片から形成され、外側板の下端に緩衝材が設けられていることを特徴とする請求項１記載の安全柵。
【請求項３】
防護柵の支柱は鞍型基部から上方に向けて設置されていることを特徴とする請求項１又は２記載の安全柵。
【請求項４】
防護体が開口部に設けられていることを特徴する請求項１〜３のいずれかに記載の安全柵。
【発明の詳細な説明】
【技術分野】
【０００１】
本発明は補強土壁に設置する安全柵に関するものである。
【背景技術】
【０００２】
補強土壁工法の一種類として、「テールアルメ工法」（登録商標）と称する工法が広く採用されている。この工法は、ストリップと称する帯鋼の補強材を盛土内に層状に配置して、ストリップと盛土材との摩擦力による引抜抵抗力で土留効果を発揮させる工法である。
その盛土の露出面には、薄いコンクリート製のパネルを鉛直に近い角度に積み上げて崩壊を防止する。このパネルは、外側の正面から見て十字状に形成してあり、中央部を中心として上方に上片、両側に側片を、下方に下片を備えている。そのような形状のパネルを、裏込め盛土の作業と同時進行によって高さ方向に千鳥状に積み上げる。
図７に示すように、パネルの積み上げに際しては上段のパネルｘと、下段のパネルｙとの間には常にパネル高さの半分の段差ｚが生じるので、そのような段差部分からの転落事故を防止するための措置が必要となる。
【０００３】
そのような転落防止措置として、パネルの盛土側に強固な部材を設置すると、盛土の度に盛り変えが必要となり、手数を要する。
簡易なロープを張り渡す方法では、安全性に問題がある。
【０００４】
本出願人は対策の１つとして特許文献１に提案した。水平桁２１ の一端にはパネル１のジベル１４を上下に貫通する貫通穴２１ｂを備え、水平桁２１の他端の下面には、パネル１の受穴１５に挿入する挿入棒２１ａを下向きに備え、水平桁２１には縦桟２２を備え、縦桟２２には横桟２３を備える。そして横桟２３の長さは、上段パネル１の間隔よりも長く設定した、補強土壁に設置する際に生じる段差からの転落防止用の安全柵２である。この発明は、上段パネルの側片に挿入支持部を設け、上方に向けて柵を設けた物である。
【０００５】
特許文献２には、容易に設置及び撤去が可能で、且つ開口部からの足の踏み外しや土砂等の落下を好適に防止することのできる簡易式防護柵として、開口部の両側に配置された各壁面部材にそれぞれ固定される支持体と、両支持体間に架け渡される棒状の横材と、開口部下端を閉鎖するように配置される上下に幅のある帯状の幅板材とを備える。さらに、各支持体に壁面部材の表面側又は裏面側に上下方向に向けて配置される棒状の縦材と、縦材の上端を壁面部材の上端部に着脱可能に固定させる取付具と、縦材に横材の端部を着脱可能に固定させる横材支持手段と、縦材に幅板材の端部を着脱可能に固定させる幅板材支持手段とを備えた簡易式防護柵が提案されている。この発明は、上段の上片パネルに係止部を設け、下段との間に生じた段差空間部に柵を設けた物である。
【先行技術文献】
【特許文献】
【０００６】
【特許文献１】特開２０１６−１２１４５７号公報
【特許文献２】実用新案登録第３１８０８９１号公報
【発明の概要】
【発明が解決しようとする課題】
【０００７】
本願発明は、パネルを積み上げる補強土壁工法において、段違いに配置された空間に設ける安全柵であって、安全柵を取り付けた状態で、次のパネルの積み上げができる安全柵を開発することを課題とする。
【課題を解決するための手段】
【０００８】
上記のような課題を解決する本発明は次の構成を主とする。
１．補強土壁に設置する安全柵は、盛土層の外側に、高さ方向に段差を設けてパネルを積み上げる補強土壁において、水平方向の隔パネル間に形成される開口部に設置され、上段パネルである隔パネルの上片に取付けられた鞍型基部と、鞍型基部側面に設置した支柱と、支柱に取付けられた防護体からなり、防護体は上記隔パネルの外側面の面外に配置されることを特徴とする安全柵。
２．鞍型基部は、パネル外面側の外側板とパネル上片側に配置された上板とパネル内面側の内側片から形成され、外側板の下端に緩衝材が設けられており、外側板の外面側に防護柵の支柱取付部が設けられていることを特徴とする１．記載の安全柵。
３．防護柵の支柱は鞍型基部から上方に向けて設置されていることを特徴とする１．又は２．記載の安全柵。
４．防護体が開口部にも設けられていることを特徴する１．〜３．のいずれかに記載の安全柵。
【発明の効果】
【０００９】
本願発明によって、鞍型基部は、すでに設置されている上段パネルに設置され、防護柵は補強土壁の面外に位置するので、次段のパネルの設置空間は確保されるので、安全柵を外すことなく、次段のパネルの積み上げ作業を行うことができる。したがって、パネルを積み上げる補強土壁工法において、段違いに配置された空間に設ける安全柵であって、安全柵を取り付けた状態で、次のパネルの積み上げができる安全柵を実現できた。
１．本発明の安全柵は、安全柵の鞍型基部が工事箇所ですでに設置されている上段パネルで隔てられている隔パネルの上片に取付けられ、防護体は隔てられた空間に配置され、土留壁の面外に位置している。このため、本発明の安全柵を取り外すことがなく、隔パネル間に次段のパネルを設置することができる。これによって、次段のパネルを設置する間でも、開口部に安全柵が設置された状態となり、安全に施工することができる。
２．鞍型基部の外側板の下端に緩衝材が設けられているとともに、外面側に防護柵の支柱取付部が設けられているので、防護柵は確実に面外側に重心があることとなり、面外側に付勢される。このため、鞍型基部の外側板の下端部は取り付けられているパネルに圧接することとなり、パネルに圧接痕が残って、完成した補強土壁に汚れが残る恐れがあるが、本発明では緩衝材を設けることによって、これが防止され、きれいな仕上がりになる。
３．防護柵の支柱を鞍型基部から上方に向けて設けたので、既設のパネルに上に防護柵が設けられており、次段のパネル積み上げ操作の空間である上方作業が安全である。
４．防護体を隔パネル間に形成された空間にも設けることにより、この隙間からの落下も防止できる。
【図面の簡単な説明】
【００１０】
【図１】補強土壁の構造を示す断面図。
【図２】補強土壁に用いるパネルの構造の説明図であり、（ａ）パネルの例を示す図、（ｂ）パネル積み上げ途中の状態を示す概略図である。
【図３】鞍型基部の要部拡大図である。
【図４】鞍型基部のその他の例を示し、（ａ）は補強板を設けた鞍型基部の側面図であり、（ｂ）は補強板付き鞍型基部を組み立てた状態を示す図である。
【図５】本発明の安全柵の設置過程を示す説明図であり、（ａ）は取り付け概略図、（ｂ）は設置状態図、（ｃ）は平面図である。
【図６】安全柵を取り付けた状態を示す図であり、（ａ）は断面図、（ｂ）は平面図である。
【図７】補強土壁の構造を示す図。
【発明を実施するための形態】
【００１１】
本発明は、板状のコンクリート製の十字型パネルを外面側に積み上げ、裏面に盛土壁して補強土壁を構築する工事に用いる工事用の安全柵である。このパネルは、１ｍ以上あって、１トン以上あり、これを急勾配で積み上げる作業であるので、落下などの危険対策を十分に行う必要がある。
【００１２】
本発明の安全柵は、上段パネルに嵌合する鞍型基部と鞍型基部の外側面に取り付けられて支柱に設けられた防護柵を備えた防護体から構成されている。防護体は、鞍型基部の外面側に設けられているので、外側に倒れるように形成される。このため、防護柵があっても、次段のパネルの積み込みができる。そして、既設の上段パネルの上方に防護柵が形成されるので、安全に作業することができる。したがって、本発明の安全柵は、既設の上段パネル間の空間に設置された状態で次段のパネルの積み上げ作業することができる。
【００１３】
以下、図面を参照しながら本発明の補強土壁に設置する安全柵の実施の形態を詳細に説明する。
【００１４】
まず、図１，２を用いて前提条件を説明する。
発明の安全柵は補強土壁工法の施工中に用いる柵である。
補強土壁工法は、図１に示すように、盛土層４の間にストリップ３と称する鋼材の帯を敷設し、その盛土層４の前面にパネル１を千鳥状に積み上げる。パネル１を積み上げた後に、ストリップ３の上にさらに盛り土を行う、これらを繰り返して補強土壁を形成するものである。
その際に使用するパネル１の形状と名称を図２（ａ）で説明する。パネル１は、前記したように補強土壁の正面から見た場合に十文字状に形成されている。
四角の中央部５の上方に上片５１、両側に側片５２を、下方に下片５３を備えている。そして一方の側片５２の上縁には鉛直方向にボルト材であるジベル５４が突出している。
また他方の側片５２の上縁には、鉛直方向にジベル５４の直径よりも多少大きい直径の穴である受穴５５が形成してある。
【００１５】
図２（ｂ）に示すように、パネル１を千鳥状に積み上げる際は、上段パネル間には次段のパネルを組み込むための空間Ａが形成されている。上段パネル１１ａと上段パネル１１ｂの間に段差が生じる。地盤面（盛土上端）は下段パネル１２より下に位置しており、段差は開口となる。その為、段差から作業員が転落する虞があり、パネル間の段差に転落防止の安全柵２を設ける必要がある。
【００１６】
本発明の安全柵は、パネル間の段差から作業員が転落することを防止するため、および上段パネル上方も取付けるものであり、パネル間のパネルを設置する際には取り外す必要がなく、施工の妨げとならずに、常に安全柵が取付けられた状態で施工を続けることができる。また、上段パネルの上方の安全性も確保できる。
そのため、一時的にも安全柵を取り外すことがないため、安全に工事をすすめることができる。
【００１７】
図３は、鞍型基部の要部拡大図である。
図４は、鞍型基部のその他の例を示し、（ａ）は補強板を設けた鞍型基部の側面図であり、（ｂ）は補強板付き鞍型基部を組み立てた状態を示す図である。
図５は、本発明の安全柵の設置過程を示す説明図であり、（ａ）は取り付け概略図、（ｂ）は設置状態図、（ｃ）は平面図である。
【００１８】
図５に示すように、安全柵２は、鞍型基部２１と防護体２３を備えている。鞍型基部２１は、パネルの上片を跨いでパネルに装着される構造である。
そして、図３に示すように、鞍型基部２１は、上板２１ｂの一方端からパネルの外面側に添う外側板２１ａと他方端からパネルの内面側に添う内側板２１ｃを備えており、外側板の下方には緩衝材２４が設けられている。そして、外側板２１ａの外面には支柱取付部２１ｄが設けられている。支柱の取り付けは、鞍型基部に固定接合あるいは差し込みなど取り外し可能にする。
上板、外側板、内側板は、よじれなどの十分に耐えられる幅と厚みを持っている。
また、上板はパネルの厚さと同程度か、若干長い幅である。
したがって、安全柵２は一対の鞍型基部２１と鞍型基部２１の側面に取付けられた支柱２２、支柱２２を連結するように取付けられた防護体２３によって構成されており、鞍型基部２１は上段パネル11の端部を挟むように取り付ける。
【００１９】
安全柵は、面外に設けられた支柱の体重によって、積み上げられたパネルの外側に自然と傾くように設定されているので、特に、外側に傾くように強制する必要は無いが、鞍型基部はパネル上端幅よりも長いので、隙間があって、作業員が掴まるなどした場合、振れて不安定になることがある。
そこで、図４（ａ）に示すように外側板の内面上端にスペーサ２５を設けておくと、防護体が面外に確実に傾斜し、内側に倒れ込むことを防止することができる。
【００２０】
また、鞍型基部の外側板と内側板は、下端部がフリーの支点となり、上板との接合部に応力が集中するので、図４（ａ）に示すように、アングル状の補強板２６を設けて、損傷抑制を図ることができる。この場合、パネルに接しない外面側に設けることとなり、上板は、補強板に設置分広くする。
なお、鞍型基部は、図４（ａ）では、板材で示しているが、パイプや棒材などの線材を組み合わせてコ字型に形成することもできる。また、線材で設けた場合、外側板は支柱を兼用することができる。すなわち「ｈ」形となる。
【００２１】
また、図４（ｂ）に示すように、Ｌ字部材を対向するように配置して外側板および内側板とし、上方から平板をビスで固定して上板とすることで鞍型基部を形成することもできる。
【００２２】
図５（ａ）に示すように、防護体２３は、複数設けられた支柱２２と支柱間に渡された杆状体で形成されている。防護柵の数、設置位置は任意である。上段パネル１１ａ、１１ｂの間の間に存在する段差空間から作業員の転落防止できる位置に設けられる。特に、次段のパネルを積み上げる作業時に安全性が確保できる位置に設けることが好ましい。
【００２３】
防護体２３は、図３に図示の例では、下段は鞍型基部の位置に設けられた防護柵２３ｃであり、上段は、上段パネル１１ａ、１１ｂよりも高い位置に配置された防護体２３ａであり、その中間に防護体２３ｂである、３本で構成されている。
図５（ａ）では、下段パネル１２に２つの上段パネル１１（１１ａ、１１ｂ）が空間Ａを隔てて配置されている状態となっている。この空間Ａに次段のパネルを積み上げる作業が行われる。作業員は、盛土の上あるいは既設のパネルの上で作業を行うこととなる。
図５（ｂ）（ｃ）に示すように、本発明の防護柵の設置後は、作業空間となる空間Ａと上方空間をカバーしており安全性が高い。また、防護柵は、上段パネルの上端に設けられるので、空間Ａよりも広い幅に設けられ、次段パネルの積み上げ作業を横方向からアクセスするときにもカバーすることができる。
【００２４】
図６は本発明の安全柵２を取付けた状態での断面図である。鞍型基部２１の下端の内側のパネル１と当接する箇所には、緩衝材２４を設置する。
鞍型基部２１の端部は安全柵２を設置した際に、パネル１の正面に当接する。緩衝材を設けなかった場合、安全柵２を設置する際にパネル１をの欠けや擦れ痕を防止することができる。また、安全柵２を鋼材で製作した際に、パネル１に錆汁などやが付着し汚れることを防止することができる。
緩衝材２４の材質は、スポンジ、ゴム、ウレタンフォーム等をクッション性の高いものを使用するのがよい。
また、安全柵２の設置時の妨げとならないように、緩衝材24にテーパーを設けるのが良い。
なお、最下端の防護柵２３ｃを介して緩衝材２４を取り付けることもできる。あるいは、緩衝材２４を防護柵２３ｃの上下に配置する、あるいは、防護柵２３ｃを外面側に取り付けることもできる。
【００２５】
上記の構成のとおり、本発明の安全柵２は、支柱２２が鞍型基部２１の外側面に取付けら、防護体２３が支柱２２を連結するように取付けられているので、支柱２２および防護体２３はパネル１の面外に位置する。そのため、上段パネル１１ａと上段パネル１１ｂの間の次段のパネル１を設置する際に安全柵２が干渉することがなく設置できる。支柱２２、防護体２３が外側面の位置するように安全柵２が設置されるとで、パネル設置作業に支障がない。ここに「外側面」とは、盛土側でない面のことである。
安全柵２が常に段差に設置されているので、開口部がない状態で隔パネルの間のパネル設置作業が行えるので、安全性が向上する。
鞍型基部と防護柵が一体型の安全柵の場合は、パネル設置に使用するクレーンなどの機材を使用して、次の場所へ盛り変え作業を行う。鞍型基部と防護柵を別体する、あるいは防護体も支柱と防護柵も別体とするなどの組み立て形の場合は、部品毎に移動して組み立てることができる。
パネル間の設置作業を終えたら、安全柵２を吊り上げて取外し、一つ上段のパネル間に設置してから、盛土を行う。安全柵２の設置、パネル１の設置、安全柵２の盛替え、盛土を繰り返すことで、パネル１は欠けや汚れもなく、補強土壁工法を常に安全な状態で施工することができる。
【符号の説明】
【００２６】
１：パネル
１１、１１ａ、１１ｂ：上段パネル
１２：下段パネル
２：安全柵
２１：鞍型基部
２１ａ：外側板
２１ｂ：上板
２１ｃ：内側板
２１ｄ：支柱取付部
２２：支柱
２３、２３ａ、２３ｂ、２３ｃ：防護体
２４：緩衝材
２５：スペーサ
３：ストリップ
４：盛土
５：中央部
５１：上片
５２：側片
５３：下片
５４：ジベル
５５：受穴
１０：補強土壁
ｘ：上段のパネル
ｙ：下段のパネル
ｚ：段差
【図１】
2019105081.tif 000003
【図２】
2019105081.tif 000004
【図３】
2019105081.tif 000005
【図４】
2019105081.tif 000006
【図５】
2019105081.tif 000007
【図６】
2019105081.tif 000008
【図７】
2019105081.tif 000009